(57)【要約】      （修正有）【課題】できるだけ長い時間だけ、飼育者の傍らにペットを留めておくことが可能なソファを提供する。【解決手段】ソファ本体に、ペット用の座面部と飼育者用の座面部とを備え、ペットが座面部に往き来することのできる空間部を形成する空間形成部がソファ本体の下側に設けられている。ペットが、ソファ本体の下側にある空間部とペット用の座面部を往き来することが可能であり、ペットにとって居心地のよいものになり、ペットは座面部で休んだり、空間部を遊び場としたりすることで、ペットが飼育者用の座面部に座っている飼育者の傍らですごす時間をできるだけ長い時間確保することが可能になる。【選択図】図１
0003167836.tif 000002
【実用新案登録請求の範囲】
【請求項１】
ソファ本体に、ペット用の座面部と飼育者用の座面部とを備え、ペットが座面部に往き来することのできる空間部を形成する空間形成部がソファ本体の下側に設けられていることを特徴とするソファ。
【請求項２】
ソファ本体は、ペット用の座面部の両側に飼育者用の座面部が並んで配置されていることを特徴とする請求項１記載のソファ。
【請求項３】
空間形成部はソファ本体を載置可能な箱状に形成されており、空間形成部の天壁に、ペット用の座面部に覆われない露出天壁部が設けられ、該露出天壁部に、ペットが空間部とその外部とを往き来するための出入口が形成されていることを特徴とする請求項２記載のソファ。
【請求項４】
空間形成部の周壁に、ペットが空間部とその外部とを往き来するための出入口が形成されていることを特徴とする請求項２または請求項３記載のソファ。
【請求項５】
周壁は側壁であることを特徴とする請求項４記載のソファ。
【請求項６】
周壁は前壁であることを特徴とする請求項４記載のソファ。
【請求項７】
前壁は、その下部を中心に開閉回動自在に構成されていることを特徴とする請求項６記載のソファ。
【請求項８】
周壁は、後壁であることを特徴とする請求項４記載のソファ。
【請求項９】
周壁には、空間部を外部から覗くことができる窓部が形成されていることを特徴とする請求項４記載のソファ。
【考案の詳細な説明】
【技術分野】
【０００１】
本考案はソファに係り、特に、ペットとその飼い主がともに使用することのできるソファに関する。
【背景技術】
【０００２】
従来から、リビング等に置かれるソファは種々提案されている。ところで近年、小犬や猫等のペットを家族的存在ととらえて、屋外のみならず、リビング等の屋内で飼育する家庭が著しく増加している。リビング等では、ペットは特別なケージに入れられている場合がある。また、ケージに入れられていない場合では、ペットは、リビング内を自由に動き廻ったり、仮にペット専用のクッションが準備されていれば、ペットはそのクッションですごしたりしている。このようなクッションは、ソファに載せて使用されることがあり、この場合ではペットは飼育者の身近に居て、ある程度の時間だけスキンシップが可能な状態となる。
【０００３】
また、飼い主がペットと多くの時間をすごすことができるよう、下記特許文献１に開示された段差昇降補助具が提案されている。この段差昇降補助具は、ペットがソファに昇り易くするようペットを補助するものである。
【先行技術文献】
【特許文献】
【０００４】
【特許文献１】実用新案登録第３１５４７３９号公報
【考案の概要】
【考案が解決しようとする課題】
【０００５】
しかしながら、ペットは常時的にクッションやソファ、あるいは飼育者の傍らに居るとは限らず、クッション等から離れて自由に行動することも頻繁にある。そうなると、飼育者の手の届く傍らにペットが居る時間が短くなり、愛玩といった意味合いにおいて、飼育者は不満を感じることがあると考えられる。
【０００６】
そこで本考案は、できるだけ長い時間だけ、飼育者の傍らにペットを留めておくことが可能なソファの提供を目的とする。
【課題を解決するための手段】
【０００７】
本考案のソファは、ソファ本体に、ペット用の座面部と飼育者用の座面部とを備え、ペットが座面部に往き来することのできる空間部を形成する空間形成部がソファ本体の下側に設けられていることを特徴としている。
【０００８】
この構成によれば、ペットが、ソファ本体の下側にある空間部とペット用の座面部を往き来することが可能であるから、ペットにとって居心地のよいものとすることが可能で、ペットは座面部で休んだり、空間部を遊び場としたりすることで、ペットが飼育者用の座面部に座っている飼育者の傍らですごす時間が多くなる。
【０００９】
本考案のソファでは、ソファ本体は、ペット用の座面部の両側に飼育者用の座面部が並んで配置されている構成を採用することができる。この構成によれば、複数人の飼育者の間にペットが居る環境作りができる。
【００１０】
本考案のソファでは、空間形成部はソファ本体を載置可能な箱状に形成されており、空間形成部の天壁に、ペット用の座面部に覆われない露出天壁部が設けられ、該露出天壁部に、ペットが空間部とその外部とを往き来するための出入口が形成されている構成を採用することができる。
【００１１】
上記構成において、ペットは、露出天壁部の出入口を介してペット用の座面部から空間部、あるいは空間部から露出天壁部や外部に往き来することが可能である。
【００１２】
本考案のソファでは、空間形成部の周壁に、ペットが空間部とその外部とを往き来するための出入口が形成されている構成を採用することができる。この構成によれば、ペットは周壁の出入口を介して、ペット用の座面部から空間部へ、あるいは空間部から外部やペット用の座面部へ往き来することが可能である。
【００１３】
本考案のソファでは、周壁は側壁である構成を採用することができる。また、周壁は前壁であることも好ましい。さらに、周壁は、後壁であることも好ましい。この場合では、ペットは側壁の出入口、前壁の出入口、後壁の出入口を介して、ペット用の座面部から空間部へ、あるいは空間部から外部やペット用の座面部へ往き来することが可能である。
【００１４】
本考案のソファでは、前壁は、その下部を中心に開閉回動自在に構成されることも好ましい。この構成によれば、ペットが空間部ですごしたり空間部へ出入したりすることで、ペットの体毛が空間部に溜まったような場合に、清掃がし易い。
【００１５】
本考案のソファでは、周壁には、空間部を外部から覗くことができる窓部が形成されている構成を採用することができる。この構成によれば、飼育者は空間部にいるペットを、外部から窓部を介して覗くことができる。
【考案の効果】
【００１６】
本考案のソファは、ソファ本体に、ペット用の座面部と飼育者用の座面部とを備え、ペットが座面部に往き来することのできる空間部を形成する空間形成部がソファ本体の下側に設けられているから、ペットが、ソファ本体の下側にある空間部とペット用の座面部を往き来することが可能であり、ペットにとって居心地のよいものになり、ペットは座面部で休んだり、空間部を遊び場としたりすることで、ペットが飼育者用の座面部に座っている飼育者の傍らですごす時間をできるだけ長い時間確保することが可能になる。
【図面の簡単な説明】
【００１７】
【図１】本考案の一実施形態に係るソファの、使用状態を表す前側からの全体斜視図である。
【図２】同後側からの全体斜視図である。
【図３】同平面図である。
【図４】同正面図である。
【図５】同背面図である。
【図６】同側面図である。
【図７】同空間形成体を主に現した左右方向中心部での縦断面図である。
【考案を実施するための形態】
【００１８】
以下、本考案の一実施形態に係るソファを、図１ないし図７を参照しつつ説明する。本考案の実施形態にソファ１は、図１ないし図６に示すように、ソファ本体２と、空間形成体３とから構成されている。ソファ本体２は、左右両側に一対で配置された飼育者Ｈ用の第一座面部５，６と、両第一座面部５，６の間に配置されたペットＰ用の第二座面部７と、第一座面部５，６にそれぞれ設けられた背凭れ８，９および肘掛け１０，１１とから構成されている。第二座面部７は第一座面部５，６に比べて左右幅が小さく設定されている。このようなソファ本体２は、空間形成体３に着脱自在に載置されている。あるいは固定されている構成としてもよい。
【００１９】
次に、空間形成体３の構成を説明する。空間形成体３は、底壁板１２と、左右の側壁板１３，１４と、前壁板１５と、後壁板１６と、ソファ本体２を載置した天壁板１７とから箱状に形成され、内部を空間部１８としている。左右の側壁板１３，１４、前壁板１５、および後壁板１６が周壁部に相当する。
【００２０】
底壁板１２および天壁板１７は、それぞれ平面視して矩形の平板状に形成されている。図７に示すように、特に底壁板１２は、前後に配置したフレーム部材１９，２０と、各フレーム部材１９，２０の蓋掛かり部１９ａ，２０ａに着脱自在に載置された底面板２１との組み合わせから構成されている。底面板２１はフレーム部材１９，２０の厚みに比べて薄く形成されている。なお、図７の断面図に示すように、背凭れ８，９は、骨板材３８を介して天壁板１７に支持されている。
【００２１】
図１および図２に示すように、左右の側壁板１３，１４はそれぞれ側面視して矩形に形成されている。各側壁板１３，１４は、その前上部が肘掛け１０，１１の下部を挿入して支持する挿入部１３ａ，１４ａであり、後上部が背凭れ８，９の横面部８ａ，９ａを支持（当接）する支持部１３ｂ，１４ｂである。なお、図４および図５に示すように、前壁板１５および後壁板１６は、それぞれ横長矩形形状をした平板状に形成されている。
【００２２】
図３に示すように、第二座面部７は天壁板１７の前寄りに配置されており、第二座面部７を天壁板１７の前寄りに配置した分に相当する領域の天壁板１７の一部が露出されて、第二座面部７に覆われない露出天壁部２２とされている。この露出天壁部２２は、背凭れ８，９で左右両側を挟まれている。なお、天壁板１７において、第一座面部５，６に相当する領域には、これら座面部５，６のクッション性を損なわないようにする（クッション性を生かす）ために開口１７ａが形成されている。
【００２３】
露出天壁部２２の略中心部、両側壁板１３，１４の略中心部、前壁板１５の中心部には、それぞれペットＰが外部から空間部１８内へ、あるいは空間部１８から外部へ出入りすることのできる出入口２３，２４，２５，２６が形成されている。
【００２４】
また、前壁板１５および後壁板１６の板面には、外部から空間部１８内を観てとることのできる窓部２７，２８（開口）が複数形成されている。これら窓部２７，２８は、縦長の孔として形成されている。
【００２５】
図４および図７に示すように、前壁板１５を底壁板１２に対して回動開閉自在に支持する支持機構３０が設けられている。前壁板１５は、その下部を中心に、底壁板１２の前側のフレーム部材１９，２０に対して回動開閉自在に構成されている。天壁板１７の裏面前部に、前壁板１５の上縁部が当接して前壁板１５の起立姿勢（空間部１８を閉じる姿勢）維持する当接壁３１が設けられている。
【００２６】
支持機構３０は、前壁板１５の底縁部３２と前側のフレーム部材１９とに介装された複数個のヒンジ部材３４（例えば、ドロップ丁番が用いられている）と、ダンパー装置３３（例えばラプコン機構を用いた装置）とから構成されている。ダンパー装置３３の本体部３５は側壁板１３，１４の内面１３ｃ，１４ｃに横軸回りに回動自在に取り付けられ、ダンパー装置３３のリンク部材３６の先端部は前壁板１５の裏面１５ａにピン３７を介して横軸回りに回動自在に連結されている。このような支持機構３０を用いることで、前壁板１５が急激に開くのを抑制して、安全性を図っている。
【００２７】
上記構成のソファ１では、第一座面部５，６に飼育者Ｈが腰掛け、第二座面部７にペットＰが座ることができる。そしてペットＰは、空間形成体３に形成された出入口２３，２４，２５，２６の何れかを利用して、空間形成体３内の空間部１８へ、あるいは空間部１８からその外部（例えば、空間形成体３周りや、第二座面部７）へ出入することができる。
【００２８】
また、空間部１８内にペット用玩具や食器を置いておくこともでき、この場合、ペットＰは空間部１８内で自由に遊んだり、給餌された餌を食べたり、眠ったりすることができる。また、出入口２３，２４，２５，２６を利用して出入りすることで、適度な運動も得られる。また、飼育者Ｈは、ペットＰが空間部１８内に居るときは、その様子を窓部２７，２８から覗き見て楽しむことができる。
【００２９】
何れにしても、このソファ１は、ペットＰ用の空間部１８が形成された空間形成体３を備えているから、飼育者Ｈの周り（傍ら）にペットＰが存在する時間をできるだけ長く維持することが可能になり、したがって、ペットＰを愛玩する飼育者Ｈにとって、満足のいくソファ１となる。
【００３０】
なお、空間部１８の利用には様々な態様が考えられる。例えば、仮にペットＰが猫である場合、空間部１８内に爪とぎ具を収容しておくことで、猫が家具や柱、あるいは壁等を利用して爪とぎをすることを抑制することができ、このため、家屋の価値の低下を抑えることも可能である。あるいは、消臭器等を空間部１８内に設置して、消臭を行うことも可能である。
【００３１】
ペットＰに付き物である悩みとして、ペットＰの体毛の脱毛がある。しかしながら、このソファ１では、ペットＰがすごすことのできる空間部１８を備えているから、その分だけペットＰの体毛がソファ１周りに散らばるのを抑えることができる。しかもこのソファ１では、空間形成体３の前壁板１５は支持機構３０によって開閉回動自在とされている。このため、前壁板１５をヒンジ部材３４回りに開いて開放姿勢とすることで、空間部１８を開放することができる。したがって、空間部１８を開放した状態で、空間部１８内を容易に清掃することができる。
【００３２】
本考案は上記実施形態に限定されず、本考案の範囲内で種々の変更が可能である。例えば、上記実施形態では、空間形成体３の構成要件として、底壁板１２および前壁板１５を備えている。しかしながら、これらの部材は省略することも可能である。底壁板１２、前壁板１５を省略すれば、その分だけソファ１の軽量化を図ることができる。
【００３３】
また、上記実施形態では、第二座面部７はその左右両側を一対の第一座面部５，６で挟んだ構成とした。しかしながら、第一座面部は一対でなくてもよく、第二座面部７の左側、あるいは右側に複数並べて配置して、三人あるいはそれ以上で用いることができるようにしてもよい。あるいは、第二座面部を複数設けるようにしてもよい。
【００３４】
上記実施形態では、露出天壁部２２の略中心部、両側壁板１３，１４の略中心部、前壁板１５の中心部に、それぞれペットＰが外部から空間部１８内へ、あるいは空間部１８から外部へ出入りすることのできる出入口２３，２４，２５，２６を形成した。しかしながら、本考案はこれに限定されず、後壁板１６に出入口を形成することも好ましい。
【符号の説明】
【００３５】
１…ソファ、２…ソファ本体、３…空間形成体、５，６…第一座面部、７…第二座面部、１２…底壁板、１３，１４…側壁板、１５…前壁板、１６…後壁板、１７…天壁板、１８…空間部、１９，２０…フレーム部材、２１…底面板、２２…露出天壁部、２３，２４，２５，２６…出入口、２７，２８…窓部、３０…支持機構、３３…ダンパー装置、Ｈ…飼育者、Ｐ…ペット
【図１】
0003167836.tif 000003
【図２】
0003167836.tif 000004
【図３】
0003167836.tif 000005
【図４】
0003167836.tif 000006
【図５】
0003167836.tif 000007
【図６】
0003167836.tif 000008
【図７】
0003167836.tif 000009